(57)【要約】      （修正有）【課題】あらゆる圃場において耕耘作業を円滑に行うことができる歩行型管理機を提供する。【解決手段】耕耘軸６８に取付けた複数の耕耘爪２６と耕耘軸６８の左右両端に設けた円盤状側板２７により圃場を耕起する歩行型管理機において、該円盤状側板２７は、側面視で円盤状で、機体前面視で、一面が、皿状に湾曲した皿状ディスク部と該皿状ディスク部中央で且つ、耕耘軸６８の外端に設けた中空筒部とで構成され、該皿状ディスク部を中空筒部に対して、皿状ディスク部の周方向外端側が機体内方に向けて湾曲する内向き状態と、機体外方に向けて湾曲する外向き状態とに、択一的に装着可能に構成した。【選択図】図５
2015096039.tif 000002
【特許請求の範囲】
【請求項１】
耕耘軸に取付けた複数の耕耘爪と耕耘軸の左右両端に設けた円盤状側板により圃場を耕起する歩行型管理機において、該円盤状側板は、側面視で円盤状で、機体前面視で、一面が、皿状に湾曲した皿状ディスク部と該皿状ディスク部中央で且つ、耕耘軸の外端に設けた中空筒部とで構成され、該皿状ディスク部を中空筒部に対して、皿状ディスク部の周方向外端側が機体内方に向けて湾曲する内向き状態と、機体外方に向けて湾曲する外向き状態とに、択一的に装着可能に構成したことを特徴とする歩行型管理機。
【発明の詳細な説明】
【技術分野】
【０００１】
本発明は、圃場の耕起作業や除草作業等が可能な歩行型管理機に関し、詳しくは耕耘軸の左右両端に取付けた円盤状側板に関するものである。
【背景技術】
【０００２】
従来、この種の歩行型管理機は、耕起作業や播種作業の他、防除作業や培土作業、畝立て、マルチ等の管理作業に幅広く利用されていて、例えば耕起作業においては、耕耘軸に取付けた複数の耕耘爪からなる耕耘ロータを回転させると共に、後部ヒッチに抵抗棒を装着してハンドルの上下操作により耕耘ロータの前進力を適当に制御すると、耕耘ロータリは耕土中に沈下して耕耘できるようになる。
そして、前記耕耘ロータの左右両端には、耕耘作業の直進性を向上させる役割を有しつつ、耕起作業時に耕土中に食い込んで推進力を発揮しながら雑草を削り取ると共に、作業境界の目安にもなる円盤状側板が取付けられている。（例えば、特許文献１参照）
【先行技術文献】
【特許文献】
【０００３】
【特許文献１】特開２００１−３２０９０２号公報
【発明の概要】
【発明が解決しようとする課題】
【０００４】
特許文献１の円盤状側板は、その周方向外端側が機体内方に向けて湾曲するように形成されていて、その機体左右方向外端面で未耕地土壌を下方に押しながら土壌に食い込むことで、耕耘深さの安定と、直進の安定に寄与するものである。
しかしながら、圃場条件によっては、前記外端面で押し固められた未耕地土壌から受ける反作用によって機体が浮き上がり気味になることで、耕耘爪の土壌への食い込みが浅くなり、耕耘深さが浅くなったり、機体の推進力が不足したりする場合があった。  
【０００５】
そこで本発明は、前記円盤状側板の形態を圃場条件に応じて容易に変更可能とすることで、あらゆる圃場において耕耘作業を円滑に行うことができる歩行型管理機を提供することを目的とする。
【課題を解決するための手段】
【０００６】
本発明は、上記の如き実情に鑑みこれらの課題を解決することを目的として創作されたものであって、耕耘軸に取付けた複数の耕耘爪と耕耘軸の左右両端に設けた円盤状側板により圃場を耕起する歩行型管理機において、該円盤状側板は、側面視で円盤状で、機体前面視で、一面が、皿状に湾曲した皿状ディスク部と該皿状ディスク部中央で且つ、耕耘軸の外端に設けた中空筒部とで構成され、該皿状ディスク部を中空筒部に対して、皿状ディスク部の周方向外端側が機体内方に向けて湾曲する内向き状態と、機体外方に向けて湾曲する外向き状態とに、択一的に装着可能に構成したことを特徴とする。
【発明の効果】
【０００７】
以上説明したように本発明は、耕耘軸に取付けた複数の耕耘爪と耕耘軸の左右両端に設けた円盤状側板により圃場を耕起する歩行型管理機において、該円盤状側板は、側面視で円盤状で、機体前面視で、一面が、皿状に湾曲した皿状ディスク部と該皿状ディスク部中央で且つ、耕耘軸の外端に設けた中空筒部とで構成され、該皿状ディスク部を中空筒部に対して、皿状ディスク部の周方向外端側が機体内方に向けて湾曲する内向き状態と、機体外方に向けて湾曲する外向き状態とに、択一的に装着可能に構成したので、圃場条件に応じて円盤状側板の皿状ディスク部の姿勢状態を容易に変更でき、耕耘深さが浅くなりがちな圃場条件の場合には、前記皿状ディスク部を、その周方向外端側が機体外方に向けて湾曲する外向き状態にして、皿状ディスク部を圃場面に食い込み易くすることで、耕耘爪の圃場面への食い込み量を十分に確保し、浅耘や推進力不足を解消することができる。
また、深耕気味になる場合には、前記皿状ディスク部をその周方向外端側が機体内方に向けて湾曲する内向き状態にして、耕耘深さの安定と、直進性の安定を重視した状態に容易に切換えることができる。
【図面の簡単な説明】
【０００８】
【図１】歩行型管理機の斜視図である。
【図２】同上側面図である。
【図３】同上部分背面図である。
【図４】円盤状側板を内向きに装着した状態での同上部分背面図である。
【図５】円盤状側板を外向きに装着した状態での同上部分背面図である。
【図６】（ａ）は円盤状側板の正面図、（ｂ）はその断側面図である。
【発明を実施するための形態】
【０００９】
以下、本発明の一実施形態を図面に基づいて説明する。図１及び図３は、本発明に係る歩行型管理機１の外観を示すもので、機体フレーム２にミッションケース３を上下方向に配設すると共に、該ミッションケース３の上部には動力源であるエンジン４を搭載している。
【００１０】
前記ミッションケース３の左側面及びエンジン４の左側面には、該エンジン４の動力をミッションケース３の入力軸（不図示）に伝達するベルト伝動装置（不図示）と、該ベルト伝動装置を被包するベルトカバー５を設けている。
そして、前記エンジン４の上部には燃料タンク６を配設すると共に、該燃料タンク６の周囲を覆うプラスチック製のエンジンカバー（ボンネット）７を取付けている。
尚、図示しないが、燃料タンク下部の燃料出口ホースが上下に動いて伸び縮みする構造にすることで、燃料切れによるエンジンの始動不可や機体の移動不能状態を回避することが可能になっている。
これにより、燃料の残量が減っていることにオペレータが気付かないまま、圃場での作業中に燃料切れが発生して燃料補給をするようなことがない。  
【００１１】
また、前記ミッションケース３の下方部には、エンジン４の出力によって駆動する耕耘軸６８が機体の左右方向に延設してあり、該耕耘軸６８の軸方向外側に延設された延長軸６９とに夫々１個づつ耕耘爪（ロータリ爪）２６が取付けられてある。
これにより、前記耕耘爪２６は、ミッションケース３を中心としてその左右両側に、夫々２個づつ取り付けられている。
そして、前記延長軸６９の左右両端には、後述する円盤状側板２７，２７を夫々取付けてある。
尚、本実施例にあっては、延長軸６９に円盤状側板２７を取り付けているが、耕耘軸６８に直接取り付けても何等問題はない。
【００１２】
また、前記ミッションケース３の中途部から後方に向けヒッチ１１を延設し、該ヒッチ１１に抵抗棒１２を下方に向けて突設している。
そして、前記エンジン４の下方には、耕耘爪（ロータリ爪）２６による泥土の跳ね上がりを防止する盤状のフェンダ１３を設けている。
【００１３】
一方、前記ミッションケース３の後部から斜め後方に向けてハンドルフレーム１４を突設し、更に該ハンドルフレーム１４から機体後方に向け左右のハンドル１５Ｌ，１５Ｒを延設してある。                                              
そして、前記左ハンドル１５Ｌには、主クラッチレバー１６を設けると共に、右ハンドル１５Ｒには、後進クラッチレバー（不図示）を配設してある。
【００１４】
また、前記左右のハンドル１５Ｌ，１５Ｒは、上下調節グリップ１８を介して上下調節自在にハンドルフレーム１４に連結してあり、前記歩行型管理機１を運転するオペレータの体格や作業内容によって、適宜上下調節が行えるようにしてある。
【００１５】
ところで、上述した歩行型管理機１は走行車輪を備えていないので、エンジン４のスタートと同時に主クラッチレバー１６を入り操作すると、耕耘爪（ロータリ爪）２６が回転して機体が圃場の地表面を勝手に移動し、前記耕耘爪（ロータリ爪）２６による耕起作業ができなくなる。
したがって、オペレータは、前記左右のハンドル１５Ｌ，１５Ｒを下方に強く押しつけることにより前記ヒッチ１１に装着した抵抗棒１２を土中に挿入し、該抵抗棒１２にある程度抵抗を与えることで、耕起作業時の機体姿勢の安定を図っている。
尚、前記抵抗棒１２の土中への挿入深さの調節は、該抵抗棒１２の基部に穿孔した複数の深さ調節穴（不図示）の中から所望の調節穴を選択し、該調節穴と前記ヒッチ１１のボス１１ａに設けた装着穴（不図示）にクレビスピン１９を挿通することによって簡単に行うことができる。
【００１６】
そして、前記円盤状側板２７，２７について詳述すると、図６に示すように、ミッションケース３を中心として出力軸の軸方向の左右両端側で、かつ耕耘爪２６の外方には、耕耘作業時の直進性を出す役割と作業時の境界線の目印としての役割もある円盤状側板２７，２７が夫々取り付けられている。この円盤状側板２７は、本実施の形態では、鉄板製から成る円盤状をなし、図６（ａ）（ｂ）に示すように、皿状ディスク２７ａと中空筒部２７ｂとを有している。この中空筒部２７ｂは、前記延長軸６９に嵌入された後、該中空筒部２７ｂの端部に形成されたピン孔７０にスナップピン（不図示）が挿入されて取り付けられ、皿状ディスク２７ａを延長軸６９の両端に嵌め込んで、補強板２７ｃを介在させて締結具であるボルト２７ｄによって取り付けられている。
この構成により、皿状ディスク部２７ａは前記中空筒部２７ｂに対して、その姿勢状態を、皿状ディスク部２７ａの周方向外端側が機体内方に向けて湾曲する内向き状態と、機体外方に向けて湾曲する外向き状態とにその姿勢状態を択一的に変更可能に取り付けられ、具体的には、締結具であるボルト２７ｄを緩めて、まず、補強板２７ｃを外して、円盤状側板２７の向きを選択して、補強板２７ｃと締結具であるボルト２７ｄで取付けて作業を行う。  
【００１７】
そして、耕耘軸６８の両端に円盤状側板２７を装着するにあたっては、図４に示すように、前記中空筒部２７ｂに対して、円盤状側板２７の皿状ディスク部２７ａを中空筒部２７ｂに対して、皿状ディスク部２７ａの周方向外端側が機体内方に向けて湾曲する内向き状態に装着すると、皿状ディスク部２７ａが未耕耘土壌を押すことによって、耕耘深さの安定と機体の直進の安定を図ることができる。しかしながら、圃場条件によっては皿状ディスク部２７ａによって押し固められた土壌から受ける反作用によって、耕耘爪２６が食い込みにくくなることで土壌が硬いまま残ってしまい、いくら耕耘作業を続けても円盤状側板２７が圃場の土中の深くに届かず深く耕耘することができず、結局のところ、浅い耕耘となってしまう場合がある。
上記のような場合、図５に示すように円盤状側板２７の皿状ディスク部２７ａを中空筒部２７ｂに対して、機体外方に向けて湾曲する外向き状態に装着して耕耘作業を行うことで、皿状ディスク部２７ａ土壌を崩しやすく作用することで、深く耕耘することが可能であり、未耕耘土壌に円盤状側板が食い込んでいき、未耕耘土壌を機体中央に押しやることで、耕耘爪２６によって、未耕耘土壌がより一層崩れやすくなり、機体外向きの円盤状側板２７は、下へ食い込んで耕耘することが出来る。
そして、本発明は、円盤状側板の皿状ディスク部２７ａを、耕耘軸６８に取り付ける中空筒部２７ｂに対して前記内向き状態と外向き状態とに、その姿勢状態を択一的に取り付け可能とすることにより、異なる圃場条件への対応を、オペレータが機体に加える荷重の調節で行うことなく皿状ディスク部を取り付ける向きの変更によって行うことができ、簡単な構成でオペレータの作業負荷を軽減させることができる。
【符号の説明】
【００１８】
１ 歩行型管理機
２６ 耕耘爪
２７ 円盤状側板
２７ａ 皿状ディスク部
６８ 耕耘軸
【図１】
2015096039.tif 000003
【図２】
2015096039.tif 000004
【図３】
2015096039.tif 000005
【図４】
2015096039.tif 000006
【図５】
2015096039.tif 000007
【図６】
2015096039.tif 000008